(57)【要約】【課題】電子機器において、少ない検出ポート出た数の操作キーのオン／オフを検出可能にして製造コストを低減する。【解決手段】電子機器には１０個の操作キー６１が設けられており、各操作キー６１には、２つ一組のスイッチ６２が対応して設けられている。操作キー６１の操作を検出する検出制御回路６５には、５つの検出ポート６５ｖ，…，６５ｚが設けられている。各操作キー６１に対応する一組のスイッチ６２は、互いに異なる検出ポート６５ｖ，…，６５ｚに接続されている。操作キー６１が操作されると、検出制御回路６５は、オンとなったスイッチが接続された２つの検出ポート６５ｖ，…，６５ｚの組み合わせに基づいて、操作された操作キー６１を特定する。キーマトリクスを用いた場合と比較し、少ない検出ポートでより多くの操作キーの操作を検出することができる。【選択図】図１
2009048492.tif 000002
【特許請求の範囲】
【請求項１】
外部から押下操作可能に設けられた複数の操作キーと、前記操作キーに対応するように設けられた複数のスイッチと、前記スイッチのオン／オフを検出するための複数の検出ポートを有し前記操作キーの操作に基づき機器の動作を制御する制御部とを備え、
前記スイッチは、前記制御部が当該スイッチのオン／オフを検出可能に、いずれかの前記検出ポートに接続されている電子機器であって、
前記スイッチは、前記操作キー毎に、接続された前記検出ポートが互いに異なる少なくとも２つで所定数の前記スイッチが対応するように設けられており、
前記制御部は、前記操作キーが押下操作されることによりオンとされたスイッチが接続された前記所定数の検出ポートの組み合わせに基づき、操作された前記操作キーを特定可能に構成されており、それにより、検出ポートの数に対して、より多くの操作キーの操作を検出可能であることを特徴とする電子機器。
【請求項２】
前記スイッチは、前記操作キー毎に２つ一組のスイッチが対応するよう設けられており、
前記一組のスイッチは、当該スイッチに対応する操作キーが操作されるとき、互いに略同時にオン／オフされることを特徴とする請求項１記載の電子機器。
【請求項３】
前記スイッチは、回路基板上に互いに絶縁されて配置された一対の接点部と、前記操作キーが操作されたときに前記一対の接点部に接触し当該一対の接点部間で導通させる導電部材からなる導電パッドとを有し、
前記一組のスイッチの２つの導電パッドは、前記操作キーの変位に応じて変位するように配置された絶縁部材により互いに連結されていることを特徴とする請求項２記載の電子機器。
【発明の詳細な説明】
【技術分野】
【０００１】
本発明は、複数の操作キーを有する電子機器に関する。
【背景技術】
【０００２】
電子機器を操作するためにその筐体やリモートコントローラ等に複数の操作キーが設けられた構造では、従来、例えば特許文献１に記載されているように、操作キーのオン／オフを検出するための回路にいわゆるキーマトリクスが用いられているものがある。これにより、例えば１０個の操作キーのオン／オフを検出するのに制御ＩＣ等の検出ポートの数が７つで足り、必要な検出ポートの数を少なくすることができ、制御ＩＣ等の部品コストを低くすることができる。しかしながら、キーマトリクスを用いた場合であっても、操作キーの数が増えると、検出ポートが多い高価な制御ＩＣ等を用いることが必要となる。製造コストをさらに低減するためには、キーマトリクスを用いた場合よりもさらに検出ポートの数を低減可能な、操作キーのオン／オフを検出するための構成を用いることが望まれていた。
【０００３】
ここで、特許文献２には、シフトレジスタを用いることにより、操作キー数に関わりなく、１個のマイコンのポートを使用して操作キーを検出するキー入力装置が開示されている。しかしながら、特許文献２の構成では、マイコンのポートに信号を順次送るためにシフトレジスタを用いるため、構成が複雑になり、製造コストが高くなる。
【０００４】
また、特許文献３には、マイコンのポートに入力する信号のレベルを変更することにより、別のポートを使用せずにマイコンの機能を切り替えることができるようにした電子機器が開示されている。さらにまた、特許文献４には、操作キー毎に接点抵抗が異なるようにし、同一のポートで電圧の違いにより操作された操作キーを判別するようにしたリモコン装置が開示されている。しかしながら、これら特許文献３又は特許文献４の構成では、Ａ／Ｄ変換を行うことが必要であり、そのため、製造コストが高くなり、操作キーの操作の誤認識を防ぐ場合には、検出可能な操作キーの数も制限される。
【特許文献１】特開２００５−３４５２０９号公報
【特許文献２】特開２００２−１５７０６７号公報
【特許文献３】特開平７−２３５８６７号公報
【特許文献４】特開２００５−１１７１６１号公報
【発明の開示】
【発明が解決しようとする課題】
【０００５】
本発明は、上記問題点を鑑みてなされたものであり、少ない検出ポートで多数の操作キーのオン／オフを検出可能であり、製造コストを低減することができる電子機器を提供することを目的とする。
【課題を解決するための手段】
【０００６】
上記目的を達成するため、請求項１の発明は、外部から押下操作可能に設けられた複数の操作キーと、前記操作キーに対応するように設けられた複数のスイッチと、前記スイッチのオン／オフを検出するための複数の検出ポートを有し前記操作キーの操作に基づき機器の動作を制御する制御部とを備え、前記スイッチは、前記制御部が当該スイッチのオン／オフを検出可能に、いずれかの前記検出ポートに接続されている電子機器であって、前記スイッチは、前記操作キー毎に、接続された前記検出ポートが互いに異なる少なくとも２つで所定数の前記スイッチが対応するように設けられており、前記制御部は、前記操作キーが押下操作されることによりオンとされたスイッチが接続された前記所定数の検出ポートの組み合わせに基づき、操作された前記操作キーを特定可能に構成されており、それにより、検出ポートの数に対して、より多くの操作キーの操作を検出可能であるものである。
【０００７】
請求項２の発明は、請求項１の発明において、前記スイッチは、前記操作キー毎に２つ一組のスイッチが対応するよう設けられており、前記一組のスイッチは、当該スイッチに対応する操作キーが操作されるとき、互いに略同時にオン／オフされるものである。
【０００８】
請求項３の発明は、請求項２の発明において、前記スイッチは、回路基板上に互いに絶縁されて配置された一対の接点部と、前記操作キーが操作されたときに前記一対の接点部に接触し当該一対の接点部間で導通させる導電部材からなる導電パッドとを有し、前記一組のスイッチの２つの導電パッドは、前記操作キーの変位に応じて変位するように配置された絶縁部材により互いに連結されているものである。
【発明の効果】
【０００９】
請求項１の発明によれば、制御部が、オンされたスイッチが接続された所定数の検出ポートの組み合わせに基づいて操作された操作キーを特定可能であるため、すべての検出ポートから所定数の検出ポートを選択する組み合わせの数だけの操作キーを検出することができる。従って、検出ポートの数と比べて、キーマトリクスを用いた場合よりもさらに多くの操作キーを検出することが可能になり、電子機器の製造コストを低減することが可能になる。
【００１０】
請求項２の発明によれば、操作キー１つに対応して設けられた一組のスイッチが、操作キーの操作に応じて互いに略同時にオン／オフされるので、確実にその操作キーの操作がなされたことを検出することができる。
【００１１】
請求項３の発明によれば、スイッチは、回路基板上の接点部に導電パッドが接触することによりオンとなる簡易な構造であるので、製造コストを低減させることができる。２つの導電パッドは互いに連結されているので、操作キーの操作に応じて確実に２つのスイッチがオン／オフされ、さらに確実にその操作キーの操作がなされたことを検出することが可能になる。
【発明を実施するための最良の形態】
【００１２】
以下、本発明の一実施形態について図面を参照して説明する。図１は、本実施形態に係るプロジェクタ（電子機器）１を示す。プロジェクタ１は、例えば放電灯等のランプ２と、ランプ２を駆動するバラスト３と、ランプ２から出射された光を用いて画像を形成する画像形成部４と、外部から画像データが入力される信号入力部５と、外部から操作可能に設けられた操作キー６１を有する操作入力部６と、プロジェクタ１の各部を制御するマイコンやメモリ等により構成された制御部７と、外部の商用電源に接続された電源部８と、送風部９とを備えている。このプロジェクタ１は、例えば外部のパーソナルコンピュータ等に接続されて用いられる。プロジェクタ１は、このパーソナルコンピュータ等から信号入力部５を介して入力される画像データに基づいて画像を形成し、その画像を、例えば外部に設置されたスクリーン（図示せず）に投影する機能を有している。
【００１３】
画像形成部４は、信号入力部５に入力された画像データに基づいて制御部７に制御され、例えばデジタルマイクロミラーデバイス（以下、ＤＭＤと称する）を用いて、その画像データに応じた画像を形成するように構成されている。画像形成部４により形成された画像は、ズーム、フォーカス等を行うことができるように構成されたレンズ４ａを介して、外部のスクリーン等に向け投影されるように構成されている。画像形成部４は、ＤＭＤと、ランプ２から出射された光をカラー画像を形成するための複数の色に変更するためのカラーホイールと、カラーホイールを回転させるためのモータと、制御部７による制御を受けてこれらを駆動するための駆動ドライバ等を有している。画像形成部４は、カラーホイールにより、ランプ２から出射された光の色を変更させながらＤＭＤに照射し、画像データに基づいて駆動されるＤＭＤにより、ランプ２から照射された光を、色毎に、順次繰り返して、外部のスクリーン上に投影するように構成されている。
【００１４】
操作入力部６の操作キー６１は、例えば、プロジェクタ１の筐体に、外部からユーザにより押下操作可能に配置されている。操作入力部６は、操作キー６１が操作されると、操作された操作キー６１に対応する操作信号を制御部７に送る。制御部７は、その操作信号に応じて装置各部の制御を行う。すなわち、ユーザは、操作キー６１を操作することにより、プロジェクタ１の動作を操作可能である。
【００１５】
送風部９は、ファン、このファンを回転させるモータ、及びモータを駆動するモータドライバ等で構成されている。送風部９は、ファンを回転させることにより、プロジェクタ１の筐体内部に外気を流入させると共に筐体内部の空気を外部に排気する。これにより、プロジェクタ１の駆動により発熱する、ランプ２や電源部８等、種々の部位の過熱が防止される。この送風部９の動作は、例えば制御部７により制御され、駆動中のランプ２の温度が適温に保たれるように構成されている。
【００１６】
図２は、操作入力部６及び制御部７の一部を構成する、操作キー６１の操作を検出するための回路の構成を示す。本実施形態において、操作入力部６には、例えば、図に示すようにＡ乃至Ｊに対応する１０個の操作キー６１が設けられている。この回路は、それぞれの操作キー６１に対応するように設けられた１０個の検出スイッチ部６０ａ，…，６０ｊと、後述のように操作された操作キー６１を特定する機能を有するＩＣであり制御部７の一部を構成する検出制御回路６５とを有している。検出制御回路６５は、電圧を検知可能な５個の入出力ポートである、検出ポート（Ｖ）６５ｖ、検出ポート（Ｗ）６５ｗ、検出ポート（Ｘ）６５ｘ、検出ポート（Ｙ）６５ｙ、検出ポート（Ｚ）６５ｚを有している。この回路には、各検出スイッチ部６０ａ，…，６０ｊと検出ポート６５ｖ，…，６５ｚとを接続する導電線６６と、各検出スイッチ部６０ａ，…，６０ｊが接続された接地部６７等が設けられている。検出制御回路６５は、検出ポート６５ｖ，…，６５ｚとは別のポートである、接地部６７に接続された接地ポート６５０を有している。
【００１７】
図３（ａ）、（ｂ）は、検出スイッチ部６０ａ，…，６０ｊの概略構造を示す。本実施形態において、検出スイッチ部６０ａ，…，６０ｊは、１つの操作キー６１につき２つのスイッチ６２が回路基板Ｂ上に一組に設けられて構成されている。回路基板Ｂには、導電線６６や接地部６７等が導電パターンとして形成されている。各スイッチ６２は、回路基板Ｂに設けられた一対の接点部６２ａと、この接点部６２ａに対応するように一対の接点部６２ａの上方に設けられた導電パッド６２ｂ等で構成されている。導電パッド６２ｂは、例えば、導電性を有するカーボンゴムパッドである。接点部６２ａは、例えば、互いに絶縁されて配置された２つの電極で構成されている。図には示していないが、接点部６２ａの電極の一方は導電線６６に接続されており、他方は接地部６７に接続されている。導電パッド６２ｂは、操作キー６１が操作されていないときには接点部６２ａから離れており、後述するように操作キー６１の押下操作に伴い下方に変位すると、接点部６２ａに接触し、当該一対の接点部の電極間を導通させる。
【００１８】
図３（ａ）に示すように、１つの操作キー６１に対応して設けられている一組のスイッチ６２の２つの導電パッド６２ｂは、互いに絶縁ゴム等の絶縁部材６２ｃ等で連結されている。２つの導電パッド６２ｂは、絶縁部材６２ｃの上方に取り付けられた操作キー６１が押下操作されると、共に下方に変位し、図３（ｂ）に示すように、接点部５２ａに略同時に接触する。従って、一組のスイッチ６２は、操作キー６１が操作されるとき、互いに略同時にオン／オフされる。なお、図３（ａ）（ｂ）は、検出スイッチ部６０ａ，…，６０ｊの構成を概略的に示すものであり、詳細な形状等を示すものではない。接点部６２ａの２つの電極は、例えば、互いに噛み合う櫛歯形状に形成される。また、一組のスイッチ６２の２つの導電パッド６２ｂと絶縁部材６２ｃは、例えば、接点部６２ａに接触する導電パッド６２ｂを操作キー６１と共に上方に押し戻す、いわゆるラバードームのように形成されたばね部等と一体に、導電パッド６２ｂと絶縁部材６２ｃとで導電率等が互いに異なるゴム状の樹脂を用いて成型して構成される。
【００１９】
図２に示すように、各検出スイッチ部６０ａ，…，６０ｊの一組のスイッチ６２は、導電線６６を介し、５つの検出ポート６５ｖ，…，６５ｚのうち互いに異なる検出ポートに接続されている。そして、各検出スイッチ部６０ａ，…，６０ｊのスイッチ６２にそれぞれ接続されている検出ポート６５ｖ，…，６５ｚの組み合わせは、互いに異なるように構成されている。例えば、図に示すように、検出スイッチ部（Ａの操作キーに対応）６０ａは、検出ポート（Ｖ）６５ｖ及び検出ポート（Ｗ）６５ｗに接続され、検出スイッチ部（Ｂの操作キーに対応）６０ｂは、検出ポート（Ｖ）６５ｖ及び検出ポート（ｘ）６５ｘに接続されている。また、検出スイッチ部（Ｃの操作キーに対応）６０ｃは、検出ポート（Ｗ）６５Ｗ及び検出ポート（Ｘ）６５ｘに接続され、検出スイッチ部（Ｄの操作キーに対応）６０ｄは、検出ポート（Ｖ）６５ｖ及び検出ポート（Ｙ）６５ｙに接続されている。検出スイッチ部（Ｅの操作キーに対応）６０ｅは、検出ポート（Ｗ）６５ｗ及び検出ポート（Ｙ）６５ｙに接続され、検出スイッチ部（Ｆの操作キーに対応）６０ｆは、検出ポート（Ｘ）６５ｘ及び検出ポート（Ｙ）６５ｙに接続されている。検出スイッチ部（Ｇの操作キーに対応）６０ｇは、検出ポート（Ｖ）６５ｖ及び検出ポート（Ｚ）６５ｚに接続され、検出スイッチ部（Ｈの操作キーに対応）６０ｈは、検出ポート（Ｗ）６５ｗ及び検出ポート（Ｚ）６５ｚに接続されている。検出スイッチ部（Ｉの操作キーに対応）６０ｉは、検出ポート（Ｘ）６５ｘ及び検出ポート（Ｚ）６５ｚに接続され、検出スイッチ部（Ｊの操作キーに対応）６０ｊは、検出ポート（Ｙ）６５ｙ及び検出ポート（Ｚ）６５ｚに接続されている。各導電線６６は、それぞれ、プルアップ抵抗６６ａを介して電源Ｖｃｃに接続されている。それにより、各検出ポート６５ｖ，…，６５ｚに接続されているすべてのスイッチ６２がオフであるときは、当該検出ポートの電位がＨｉｇｈ（例えば５Ｖ程度）となり、いずれかのスイッチ６２がオンであるときには、当該検出ポートの電位がＬｏｗ（例えば接地電位）となる。
【００２０】
検出制御回路６５は、検出ポート６５ｖ，…，６５ｚのうち電位がＨｉｇｈからＬｏｗとなったものが２つであるとき、その組み合わせに基づき、そのとき操作された操作キー６１を特定可能に構成されている。図４は、本実施形態において、各検出ポート６５ｖ，…，６５ｚのＨｉｇｈ／Ｌｏｗの組み合わせとそのとき特定される操作キー６１との関係を示す。検出制御回路６５は、例えば、Ａの操作キー６１が押下されて図２に網線で示す導電線６６が接地電位となり、検出ポート（Ｖ）６５ｖ及び検出ポート（Ｗ）６５ｗがＬｏｗとなると、Ａの操作キー６１が押下されたことを検出する。制御部７は、検出制御回路６５の検出に基づき、Ａの操作キー６１に対応する制御を実行する。同様に、例えば、検出ポート（Ｘ）６５ｘ及び検出ポート（Ｚ）６５ｚがＬｏｗとなると、制御部７は、検出制御回路６５の検出に基づき、Ｉの操作キー６１に対応する制御を実行する。なお、本実施形態においては、２つ以上のキーが同時に押下されたとき等、検出ポート６５ｖ，…，６５ｚのうちＬｏｗとなったものが３つ以上ある時には、検出制御回路６５は、押下された操作キー６１を検出しないように構成されている。
【００２１】
このように、本実施形態においては、５個の検出ポート６５ｖ，…，６５ｚを用いて、１０個の操作キー６１のオン／オフを検出することができる。従って、検出ポート６５ｖ，…，６５ｚの数と比べて、６個の操作キーを検出可能であるキーマトリクスを用いた場合よりもさらに多くの操作キーを検出することが可能になる。このように、必要な検出ポート６５ｖ，…，６５ｚの数が少なくなると、検出制御回路６５としてより安価な制御ＩＣ等を用いることができる。また、誤作動を防ぐために導電線６６上に配置されるビーズコア等のノイズフィルタ（図示せず）の数を少なくすることができる。さらにまた、例えば、検出スイッチ部６０ａ，…，６０ｊが設けられている回路基板Ｂと、検出制御回路６５等が実装されたメイン基板とが別体であり、導電線６６としてフラットフレキシブルケーブル等を用いて回路基板Ｂからメイン基板へと接続されている場合には、フラットフレキシブルケーブルの線数を少なくすることができ、また、このケーブルとメイン基板又は回路基板Ｂとを接続するためのコネクタのピン数を少なくすることができる。従って、このように、必要な検出ポート６５ｖ，…，６５ｚの数が少なくなることにより、プロジェクタ１の製造コストを低減することが可能になる。
【００２２】
また、本実施形態においては、１つの操作キー６１に対応して設けられた一組のスイッチ６２が、操作キー６１の操作に応じて互いに略同時にオン／オフされるので、確実にその操作キー６１の操作がなされたことを検出することができる。さらにまた、スイッチ６２は、回路基板Ｂ上の接点部６２ａに導電パッド６２ｂが接触することによりオンとなる、簡易な構造であるので、より製造コストを低減させることができる。２つの導電パッド６２ｂは絶縁部材６２ｃにより互いに連結されているので、操作キー６１の操作に応じて確実に２つのスイッチ６２がオン／オフされ、さらに確実にその操作キー６１の操作がなされたことを検出することが可能になる。
【００２３】
なお、本発明は上記実施形態の構成に限定されるものではなく、発明の趣旨を変更しない範囲で適宜に種々の変形が可能である。例えば、スイッチとして、タクトスイッチ等、他の形式のスイッチを用いてもよい。また、操作キー１つに対して、３つ又は４つのスイッチが対応するように設けられていてもよい。このように多数のスイッチが１つの操作キーの押下によりオン／オフされるように構成される場合、検出ポートの数に応じて、検出制御回路により検出可能な操作キーの数は、図５に示すようになり、少ない数の検出ポートでさらに多くの操作キーのオン／オフを検出することができる。
【００２４】
また、本発明は、プロジェクタに限らず、他の操作キーを有する電子機器に広く適用可能である。そしてまた、例えば、操作キーと操作キーの操作を検出する検出制御回路が、電子機器の本体とは別体のリモートコントローラに搭載されており、電子機器の本体側にリモートコントローラからの信号を受信する受信部が設けられており、受信部とリモートコントローラとの間の赤外線通信等によりユーザが電子機器を遠隔操作可能に構成されていてもよい。このような場合であっても、リモートコントローラの部品コストを低減することができ、電子機器の製造コストを低減することが可能になる。
【図面の簡単な説明】
【００２５】
【図１】本発明の一実施形態に係るプロジェクタの一例を示すブロック図。
【図２】上記プロジェクタの操作キーの動作を検出するための回路の構成を示す図。
【図３】（ａ）は上記操作キーに対応して設けられた検出スイッチ部の構成を示す図、（ｂ）は操作キーが押下操作された場合の検出スイッチ部を示す図。
【図４】上記プロジェクタの検出制御回路の操作キーの操作の検出条件を示す図。
【図５】上記プロジェクタの操作キー毎のスイッチ数別に検出制御回路が操作を検出可能な操作キーの数を示す図。
【符号の説明】
【００２６】
１  プロジェクタ（電子機器）
６  操作入力部
７  制御部
６１  操作キー
６２  スイッチ
６２ａ  接点部
６２ｂ  導電パッド
６３ｃ  絶縁部材
６５  検出制御回路（制御部）
６５ｖ，…，６５ｚ  検出ポート
Ｂ  回路基板
【図１】
2009048492.tif 000003
【図２】
2009048492.tif 000004
【図３】
2009048492.tif 000005
【図４】
2009048492.tif 000006
【図５】
2009048492.tif 000007